(57)【要約】【課題】落下などの衝撃による、プリント基板上の部品などの破損を防止することのできる携帯無線機を提供すること。【解決手段】フロントケース６とリアケース７とで構成されたケース内にモノコックフレーム１およびプリント基板２を設ける。モノコックフレーム１は、センターシャーシ部１ａと、センターシャーシ部１ａとは反対方向へ位置するキーフレーム部１ｂと、センターシャーシ部１ａとキーフレーム部１ｂとを連結する連結部と、センターシャーシ部１ａとキーフレーム部１ｂとの間に形成された空間部１ｈとを有している。空間部１ｈにプリント基板２を挿入し、センターシャーシ部１ａの一方の面上に、プリント基板２の一端側を設け、キーフレーム部１ｂの一方の面上に、プリント基板２の他端側を設ける。【選択図】図２
2007081624.tif 000002
【特許請求の範囲】
【請求項１】
フロントケースと、
リアケースと、
プリント基板と、
モノコックフレームとを備え、
前記フロントケースと前記リアケースとで構成されたケース内に前記プリント基板および前記モノコックフレームが設けられており、
前記モノコックフレームは、第１のシャーシ部と、前記第１のシャーシ部とは反対方向へ位置する第２のシャーシ部と、前記第１のシャーシ部と前記第２のシャーシ部とを連結する連結部と、前記第１のシャーシ部と前記第２のシャーシ部との間に形成された空間部とを有し、
前記空間部に前記プリント基板を挿入し、
前記第１のシャーシ部の一方の面上に、前記プリント基板の一端側を設け、
前記第２のシャーシ部の一方の面上に、前記プリント基板の他端側を設けた携帯無線機。
【請求項２】
前記第１のシャーシ部は、前記プリント基板の一端側が設けられた一方の面の周囲に第１の壁部を有し、前記第２のシャーシ部は、前記プリント基板の他端側が設けられた一方の面の周囲に第２の壁部を有する請求項１記載の携帯無線機。
【請求項３】
フロントケースと、
リアケースと、
プリント基板と、
モノコックフレームと、
無線用プリント基板と、
無線機操作部とを備え、
前記フロントケースと前記リアケースとで構成されたケース内に前記プリント基板、前記モノコックフレーム、前記無線用プリント基板および前記無線機操作部が設けられており、
前記モノコックフレームは、第１のシャーシ部と、前記第１のシャーシ部とは反対方向へ位置する第２のシャーシ部と、前記第１のシャーシ部と前記第２のシャーシ部とを連結する連結部と、前記第１のシャーシ部と前記第２のシャーシ部との間に形成された空間部とを有し、
前記空間部に前記プリント基板を挿入し、
前記第１のシャーシ部の一方の面上に、前記プリント基板の一端側を設け、
前記第１のシャーシ部の他方の面上に、前記無線用プリント基板を設け、
前記第２のシャーシ部の一方の面上に、前記プリント基板の他端側を設け、
前記第２のシャーシ部の他方の面上に、前記無線機操作部を設けた携帯無線機。
【請求項４】
前記第１のシャーシ部は、前記プリント基板の一端側が設けられた一方の面の周囲、および前記無線用プリント基板が設けられた他方の面の周囲に、第１の壁部および第２の壁部をそれぞれ有し、前記第２のシャーシ部は、前記プリント基板の他端側が設けられた一方の面の周囲に第３の壁部を有する請求項３記載の携帯無線機。
【請求項５】
前記モノコックフレームの空間部は、穴からなる請求項１ないし請求項４のいずれかに記載の携帯無線機。
【請求項６】
前記モノコックフレームの空間部は、切り込みからなる請求項１ないし請求項４のいずれかに記載の携帯無線機。
【請求項７】
前記第１のシャーシ部は、導電性を有する請求項１ないし請求項６のいずれかに記載の携帯無線機。
【請求項８】
フロントケースとリアケースとで構成されるケース内にプリント基板およびモノコックフレームを組み込む携帯無線機の組み立て方法であって、
前記モノコックフレームは、第１のシャーシ部と、前記第１のシャーシ部とは反対方向へ位置する第２のシャーシ部と、前記第１のシャーシ部と前記第２のシャーシ部とを連結する連結部と、前記第１のシャーシ部と前記第２のシャーシ部との間に形成された空間部とを有しており、
前記空間部に前記プリント基板を挿入する工程と、
前記空間部に挿入した前記プリント基板を回転させる工程と、
前記プリント基板を回転させることにより、前記第１のシャーシ部の一方の面上に、前記プリント基板の一端側を設けるとともに、前記第２のシャーシ部の一方の面上に、前記プリント基板の他端側を設ける工程とを備えた携帯無線機の組み立て方法。
【請求項９】
プリント基板と、
モノコックフレームとを備え、
前記モノコックフレームは、第１のシャーシ部と、前記第１のシャーシ部とは反対方向へ位置する第２のシャーシ部と、前記第１のシャーシ部と前記第２のシャーシ部とを連結する連結部と、前記第１のシャーシ部と前記第２のシャーシ部との間に形成された空間部とを有し、
前記空間部に前記プリント基板を挿入し、
前記第１のシャーシ部の一方の面に、前記プリント基板の一端側を設け、
前記第２のシャーシ部の一方の面に、前記プリント基板の他端側を設けたモノコックフレーム構造体。
【請求項１０】
前記第１のシャーシ部は、前記プリント基板の一端側が設けられた一方の面の周囲に第１の壁部を有し、前記第２のシャーシ部は、前記プリント基板の他端側が設けられた一方の面の周囲に第２の壁部を有する請求項９記載のモノコックフレーム構造体。
【請求項１１】
モノコックフレームにプリント基板を設けるモノコックフレーム構造体の組み立て方法であって、
前記モノコックフレームは、第１のシャーシ部と、前記第１のシャーシ部とは反対方向へ位置する第２のシャーシ部と、前記第１のシャーシ部と前記第２のシャーシ部とを連結する連結部と、前記第１のシャーシ部と前記第２のシャーシ部との間に形成された空間部とを有しており、
前記空間部に前記プリント基板を挿入する工程と、
前記空間部に挿入した前記プリント基板を回転させる工程と、
前記プリント基板を回転させることにより、前記第１のシャーシ部の一方の面上に、前記プリント基板の一端側を設けるとともに、前記第２のシャーシ部の一方の面上に、前記プリント基板の他端側を設ける工程とを備えたモノコックフレーム構造体の組み立て方法。
【発明の詳細な説明】
【技術分野】
【０００１】
本発明は、携帯無線機、その組み立て方法、モノコックフレーム構造体およびその組み立て方法に関するものである。
【背景技術】
【０００２】
従来の携帯無線機は、フロントケースとリアケースとによってケースが構成され、ケース内部には、プリント基板がフロントケースおよびリアケースに直接取り付けられて収容されている（例えば、特許文献１参照）。そして、プリント基板の一方の面には操作用のキーが取り付けられ、プリント基板の他方の面上には、ＩＣなどの部品が搭載されている。フロントケースに開けた穴を通してキー操作ができるようになっている。また、電波を送受信するアンテナ部があり、アンテナ部とプリント基板との間には、その両者の電波的な干渉を軽減するシールド部が設けられている。
【特許文献１】特開平１０−３２４１４号公報（図２）
【発明の開示】
【発明が解決しようとする課題】
【０００３】
しかしながら、従来の携帯無線機においては、プリント基板がフロントケースおよびリアケースに直接取り付けられているため、落下などによる衝撃がフロントケースまたはリアケースに加わり、その衝撃がプリント基板に強く伝わり、プリント基板に搭載されているＩＣなどの部品が破損しやすいという課題があった。
【０００４】
本発明は、従来の問題を解決するためになされたもので、落下などの衝撃による、プリント基板上の部品などの破損を防止することができる携帯無線機およびモノコックフレーム構造体を提供することを目的とする。
【０００５】
また、本発明は、そのような携帯無線機およびモノコックフレーム構造体を容易に組み立てすることのできる携帯無線機の組み立て方法およびモノコックフレーム構造体の組み立て方法を提供することを目的とする。
【課題を解決するための手段】
【０００６】
本発明の携帯無線機は、フロントケースと、リアケースと、プリント基板と、モノコックフレームとを備え、前記フロントケースと前記リアケースとで構成されたケース内に前記プリント基板および前記モノコックフレームが設けられており、前記モノコックフレームは、第１のシャーシ部と、前記第１のシャーシ部とは反対方向へ位置する第２のシャーシ部と、前記第１のシャーシ部と前記第２のシャーシ部とを連結する連結部と、前記第１のシャーシ部と前記第２のシャーシ部との間に形成された空間部とを有し、前記空間部に前記プリント基板を挿入し、前記第１のシャーシ部の一方の面上に、前記プリント基板の一端側を設け、前記第２のシャーシ部の一方の面上に、前記プリント基板の他端側を設けた構成を有している。
【０００７】
この構成により、落下などの衝撃による、プリント基板上の部品などの破損を防止することができ、また組み立てを容易に行うことができる。
【０００８】
また、本発明の携帯無線機は、前記第１のシャーシ部は、前記プリント基板の一端側が設けられた一方の面の周囲に第１の壁部を有し、前記第２のシャーシ部は、前記プリント基板の他端側が設けられた一方の面の周囲に第２の壁部を有している。
【０００９】
この構成により、第１のシャーシ部および第２のシャーシ部にそれぞれ設けた壁部によって、落下時などのねじりや曲がりの応力に対し、モノコックフレームの反力を得ることができるので、プリント基板に伝わる応力を小さくすることができて、プリント基板上の部品などの破損を一層防止することができる。
【００１０】
さらに、本発明の携帯無線機は、フロントケースと、リアケースと、プリント基板と、モノコックフレームと、無線用プリント基板と、無線機操作部とを備え、前記フロントケースと前記リアケースとで構成されたケース内に前記プリント基板、前記モノコックフレーム、前記無線用プリント基板および前記無線機操作部が設けられており、前記モノコックフレームは、第１のシャーシ部と、前記第１のシャーシ部とは反対方向へ位置する第２のシャーシ部と、前記第１のシャーシ部と前記第２のシャーシ部とを連結する連結部と、前記第１のシャーシ部と前記第２のシャーシ部との間に形成された空間部とを有し、前記空間部に前記プリント基板を挿入し、前記第１のシャーシ部の一方の面上に、前記プリント基板の一端側を設け、前記第１のシャーシ部の他方の面上に、前記無線用プリント基板を設け、前記第２のシャーシ部の一方の面上に、前記プリント基板の他端側を設け、前記第２のシャーシ部の他方の面上に、前記無線機操作部を設けた構成を有している。
【００１１】
この構成により、落下などによる衝撃によって、プリント基板と無線用プリント基板同士、またはプリント基板と無線機操作部同士が接触することによる、プリント基板や無線用プリント基板上の部品などの破損を防止することができ、また組み立てを容易に行うことができる。
【００１２】
さらに、本発明の携帯無線機は、前記プリント基板の一端側が設けられた前記第１のシャーシ部の一方の面の周囲、および前記無線用プリント基板が設けられた前記第１のシャーシ部の他方の面の周囲に、第１の壁部および第２の壁部をそれぞれ有し、前記プリント基板の他端側が設けられた前記第２のシャーシの一方の面の周囲に第３の壁部を有している。
【００１３】
この構成により、第１のシャーシ部および第２のシャーシ部にそれぞれ設けた壁部によって、プリント基板および無線用プリント基板の各周囲を壁部で覆うことができ、落下時などのねじりや曲がりの応力に対し、モノコックフレームの反力を得ることができるので、プリント基板に伝わる応力を小さくすることができて、プリント基板および無線用プリント基板上の部品などの破損を一層防止することができる。
【００１４】
さらに、本発明の携帯無線機は、前記モノコックフレームの空間部が穴からなる構成を有している。
【００１５】
この構成により、プリント基板をモノコックフレームの穴に挿入することによって、モノコックフレームにプリント基板を設けることができ、組み立てを容易に行うことができる。
【００１６】
さらに、本発明の携帯無線機は、前記モノコックフレームの空間部が切り込みからなる構成を有している。
【００１７】
この構成により、プリント基板をモノコックフレームの切り込みに挿入することによって、モノコックフレームにプリント基板を設けることができ、組み立てを容易に行うことができる。
【００１８】
さらに、本発明の携帯無線機は、前記第１のシャーシ部が導電性を有している。
【００１９】
この構成により、プリント基板と無線用プリント基板との電波的な干渉を防止することができる。
【００２０】
さらに、本発明の携帯無線機の組み立て方法は、フロントケースとリアケースとで構成されるケース内にプリント基板およびモノコックフレームを組み込む携帯無線機の組み立て方法であって、前記モノコックフレームが、第１のシャーシ部と、前記第１のシャーシ部とは反対方向へ位置する第２のシャーシ部と、前記第１のシャーシ部と前記第２のシャーシ部とを連結する連結部と、前記第１のシャーシ部と前記第２のシャーシ部との間に形成された空間部とを有しており、前記空間部に前記プリント基板を挿入する工程と、前記空間部に挿入した前記プリント基板を回転させる工程と、前記プリント基板を回転させることにより、前記第１のシャーシ部の一方の面上に、前記プリント基板の一端側を設けるとともに、前記第２のシャーシ部の一方の面上に、前記プリント基板の他端側を設ける工程とを備えた構成を有している。
【００２１】
この構成により、落下などの衝撃による、プリント基板上の部品などの破損を防止する携帯無線機を容易に組み立てすることができる。
【００２２】
さらに、本発明のモノコックフレーム構造体は、プリント基板と、モノコックフレームとを備え、前記モノコックフレームが、第１のシャーシ部と、前記第１のシャーシ部とは反対方向へ位置する第２のシャーシ部と、前記第１のシャーシ部と前記第２のシャーシ部とを連結する連結部と、前記第１のシャーシ部と前記第２のシャーシ部との間に形成された空間部とを有し、前記空間部に前記プリント基板を挿入し、前記第１のシャーシ部の一方の面に、前記プリント基板の一端側を設け、前記第２のシャーシ部の一方の面に、前記プリント基板の他端側を設けた構成を有している。
【００２３】
この構成により、落下などの衝撃による、プリント基板上の部品などの破損を防止することができ、また組み立てを容易に行うことができる。
【００２４】
さらに、本発明のモノコックフレーム構造体は、前記プリント基板の一端側が設けられた前記第１のシャーシ部の一方の面の周囲に第１の壁部を有し、前記プリント基板の他端側が設けられた前記第２のシャーシ部の一方の面の周囲に第２の壁部を有している。
【００２５】
この構成により、第１のシャーシ部および第２のシャーシ部にそれぞれ設けた壁部によって、落下時などのねじりや曲がりの応力に対し、モノコックフレームの反力を得ることができるので、プリント基板に伝わる応力を小さくすることができて、プリント基板上の部品などの破損を一層防止することができる。
【００２６】
さらに、本発明のモノコックフレーム構造体の組み立て方法は、モノコックフレームにプリント基板を設けるモノコックフレーム構造体の組み立て方法であって、前記モノコックフレームは、第１のシャーシ部と、前記第１のシャーシ部とは反対方向へ位置する第２のシャーシ部と、前記第１のシャーシ部と前記第２のシャーシ部とを連結する連結部と、前記第１のシャーシ部と前記第２のシャーシ部との間に形成された空間部とを有しており、前記空間部に前記プリント基板を挿入する工程と、前記空間部に挿入した前記プリント基板を回転させる工程と、前記プリント基板を回転させることにより、前記第１のシャーシ部の一方の面上に、前記プリント基板の一端側を設けるとともに、前記第２のシャーシ部の一方の面上に、前記プリント基板の他端側を設ける工程とを備えた構成を有している。
【００２７】
この構成により、落下などの衝撃に対して、プリント基板上の部品などの破損を防止す
るモノコックフレーム構造体を容易に組み立てすることができる。
【発明の効果】
【００２８】
本発明は、落下などの衝撃による、プリント基板上の部品などの破損を防止することができる携帯無線機およびモノコックフレーム構造体を提供することができるものである。
【００２９】
また、本発明は、そのような携帯無線機およびモノコックフレーム構造体を容易に組み立てすることができる携帯無線機の組み立て方法およびモノコックフレーム構造体の組み立て方法を提供することができるものである。
【発明を実施するための最良の形態】
【００３０】
以下、本発明の実施の形態について、図面を用いて説明する。
【００３１】
図１は、本発明の実施の形態における携帯無線機の分解斜視図を示す。
【００３２】
図１に示すように、本発明の実施の形態におけるモノコックフレーム構造の携帯無線機は、モノコックフレーム１と、モノコックフレーム１とほぼ同じ大きさを有し、ＩＣ、ＬＳＩなどの部品が実装されているプリント基板２と、無線用の部品などがパターン配線されている無線用プリント基板３と、キー操作が行われる無線機操作部４と、プリント基板２に実装される液晶などからなり、文字などが表示される表示部５と、フロントケース６と、リアケース７とを有する。
【００３３】
図２は、本発明の実施の形態における携帯無線機の組み立て状態を示す断面図である。
【００３４】
図２に示すように、フロントケース６とリアケース７とで構成されるケース内には、モノコックフレーム１、プリント基板２、無線用プリント基板３、無線機操作部４および表示部５が設けられている。
【００３５】
次に、各部材の詳細について、図１および図２を用いて説明する。
【００３６】
図１に示すように、モノコックフレーム１は、第１のシャーシ部であるセンターシャーシ部１ａと、第２のシャーシ部であるキーフレーム部１ｂと、センターシャーシ部１ａとキーフレーム部１ｂとを連結する連結部１ｃと、センターシャーシ部１ａとキーフレーム部１ｃとの間に形成された穴からなる空間部１ｈ（図３参照）とを有する。
【００３７】
センターシャーシ部１ａの周囲には第１の壁部としての壁部１ｄおよび壁部１ｅが形成されており、壁部１ｄ、１ｅはセンターシャーシ部１ａの両面側に突出している。センターシャーシ部１ａの面からの壁部１ｅの高さは、壁部１ｄのそれの高さより低くなっている。キーフレーム部１ｂの周囲にも第２の壁部としての壁部１ｆが形成されており、壁部１ｆはセンターシャーシ部１ａの片面側にのみ突出している。また、キーフレーム部１ｂの壁部１ｆの内面には固定部１ｇが設けられている。
【００３８】
図２に示すように、モノコックフレーム１には、プリント基板２が次のような構成で取り付けられている。すなわち、モノコックフレーム１の空間部１ｈにプリント基板２が挿入されており、センターシャーシ部１ａの一方の面上には、プリント基板２の一端側が設けられているとともに、キーフレーム部１ｂの一方の面上には、プリント基板２の他端側が設けられている。さらに、センターシャーシ部１ａの他方の面上には、無線用プリント基板３が設けられている。
【００３９】
また、両面にプリント基板２および無線用プリント基板３が設けられたセンターシャー
シ部１ａには、導電性が付与されている。その導電性の付与方法としては、センターシャーシ部１ａの表面に金属メッキを施したり、導電性塗装を用いたりする方法がある。または、センターシャーシ部２を、導電性を有するマグネシウム合金やアルミニウム合金などで構成しても良い。
【００４０】
図１において、無線機操作部４は、前面キーシート４ａと、前面キーシート４ａからのキー操作に対して、押下の認識を行うダイヤフラムやタクトスイッチを有するフレキシブル基板４ｂとによって構成されている。無線機操作部４は、モノコックフレーム１のキーフレーム部１ｂの他方の面上に貼り付けなどによって固定されており、外部からキー操作が行えるように、フロントケース６に開けた穴６ａを通してケース外部に露出している（図２参照）。
【００４１】
表示部５は、フロントケース６に開けた表示窓６ｂを通して外部から見ることができるようになっている。
【００４２】
なお、モノコックフレーム１へのプリント基板２の固定は、プリント基板２に開けたねじ穴９およびモノコックフレーム１に開けたねじ穴１０（図３参照）を通して、モノコックフレーム１にプリント基板２をねじ８で止めることにより行われる。また、モノコックフレーム１への無線用プリント基板３の固定も、無線用プリント基板３に開けたねじ穴、およびモノコックフレーム１に開けたねじ穴を通して、モノコックフレーム１に無線用プリント基板３をねじ（図示せず）で止めることにより行われる。さらに、ケース内へのモノコックフレーム１などの組み込みは、リアケース７、無線用プリント基板３、モノコックフレーム１、プリント基板２およびフロントケース６の上側角部にそれぞれ開けたねじ穴を通し、フロントケース６とリアケース７とをねじ１１で止めることにより行われるとともに、リアケース７、モノコックフレーム１、プリント基板２およびフロントケース６の下側角部にそれぞれ開けたねじ穴を通し、フロントケース６とリアケース７とをねじ１２で止めることにより行われる。
【００４３】
なお、リアケース７の外側のほぼ下半分には、電池パック（図示せず）が装着される。
【００４４】
次に、本発明の実施の形態における携帯無線機の組み立て方法について、図４および図５を用いて説明する。
【００４５】
まず、モノコックフレーム１にプリント基板２を取り付ける方法について説明する。
【００４６】
図４に示すように、モノコックフレーム１の空間部１ｈにプリント基板２を斜め方向から挿入し、プリント基板２の中間部分まで来たら挿入を止める。その後、図５に示すように、モノコックフレーム１の空間部１ｈに挿入したプリント基板２を、矢印方向に回転させ、プリント基板２の他端側がモノコックフレーム１の固定部１ｇ（図１参照）に当接するまで回転させる。
【００４７】
このとき、プリント基板２の他端側は、壁部１ｆの内側に収まるように、キーフレーム部１ｂに設けられる。また、プリント基板２の一端側は、壁部１ｄの内側に収まるとともに、壁部１ｅの面に当接するように、センターシャーシ部１ａに設けられる。
【００４８】
そして、ねじ穴９とねじ穴１０とを通して、モノコックフレーム１にプリント基板２をねじ８で固定する。
【００４９】
次に、モノコックフレーム１に無線用プリント基板３を取り付ける方法について説明する。
【００５０】
無線用プリント基板３を、壁部１ｄの内側に収まるように、センターシャーシ部１ａの他方の面上、つまりリアケース７側に設ける。さらに、無線機操作部４をキーフレーム部１ｂの他方の面上、つまりフロントケース６側に貼り付けなどで固定する。
【００５１】
最後に、フロントケース６とリアケース７とをねじ１１、１２で固定することにより、モノコックフレーム構造の携帯無線機の組み立てを完了する（図２参照）。
【００５２】
以上のように、本発明の実施の形態における携帯無線機においては、落下などで、フロントケース６またはリアケース７が受けた衝撃は、モノコックフレーム１で受けた上で、プリント基板２または無線用プリント基板３に伝わる構造を有している。このため、プリント基板２または無線用プリント基板３に加わる衝撃は緩和され、これらの基板上の部品などの破損を防止することができる。
【００５３】
また、モノコックフレーム１は、センターシャーシ部１ａの周囲に設けた壁部１ｄ、およびキーフレーム部１ｂの周囲に設けた壁部１ｆによって、プリント基板２および無線用プリント基板３の各周囲を覆う箱型構造を有しているので、落下時のねじりや曲がりの応力に対し、モノコックフレーム１の反力を得ることができ、その結果、これらの基板に伝わる応力を小さくすることができて、これらの基板上の部品などの破損を一層防止することができる。
【００５４】
さらに、プリント基板２と無線用プリント基板３との間に位置するセンターシャーシ部１ａが導電性を有しているので、プリント基板２と無線用プリント基板３との間のノイズの影響を軽減することができる。
【００５５】
さらに、キー操作時、前面キーシート４ａからの押圧のストレスは、モノコックフレーム１の反力で支えられるので、プリント基板２やその上の部品などに対して、ストレスが加えられることを軽減することができる。
【００５６】
さらに、プリント基板２として、モノコックフレーム１とほぼ同じ大きさのものを用い、モノコックフレーム１の空間部１ｈにプリント基板２を挿入し、プリント基板２を回転させることにより、モノコックフレーム１の両面にプリント基板２を容易に設けることができる。すなわち、プリント基板を例えば２つに分け、それぞれのプリント基板を、モノコックフレームを反転させて、モノコックフレームの両面に別々に設ける場合に比べて、本発明の実施の形態によれば、モノコックフレーム１を反転させることなく、プリント基板２をモノコックフレーム１の両面に容易に設けることができる。
【００５７】
また、上記実施の形態では、プリント基板２を挿入する空間部１ｈとして、穴の例をあげたが、穴の代わりに、図６に示すように、センタシャーシ部１ａとキーフレーム部１ｂとの間に切り込みからなる空間部１ｈを設けても良い。
【００５８】
この場合にも、プリント基板２を切り込みからなる空間部１ｈに挿入し回転させることにより、プリント基板２をモノコックフレーム１に取り付けることができ、上記実施の形態と同様の効果が得られる。
【産業上の利用可能性】
【００５９】
本発明にかかる携帯無線機は、落下などの衝撃による、プリント基板上の部品などの破損を防止することができ、また組み立てを容易に行うことができるという効果を有し、高度な信頼性が要求される携帯無線機などとして有用である。
【図面の簡単な説明】
【００６０】
【図１】本発明の実施の形態における携帯無線機の分解斜視図
【図２】本発明の実施の形態における携帯無線機の組み立て状態を示す断面図
【図３】本発明の実施の形態における携帯無線機のモノコックフレームの斜視図
【図４】本発明の実施の形態における携帯無線機のモノコックフレームにプリント基板を挿入する状態を示す斜視図
【図５】本発明の実施の形態における携帯無線機のモノコックフレームにプリント基板を取り付ける説明図
【図６】本発明の実施の形態における携帯無線機のモノコックフレームの別の例を示す斜視図
【符号の説明】
【００６１】
１  モノコックフレーム
１ａ  モノコックフレームのセンターシャーシ部（第１のシャーシ部）
１ｂ  モノコックフレームのキーフレーム部（第２のシャーシ部）
１ｃ  モノコックフレームの連結部
１ｄ  モノコックフレームの壁部（第１の壁部）
１ｆ  モノコックフレームの壁部（第２の壁部）
１ｇ  モノコックフレームの固定部
１ｈ  モノコックフレームの空間部
２  プリント基板
３  無線用プリント基板
４  無線機操作部
４ａ  前面キーシート
４ｂ  フレキシブル基板
５  表示部
６  フロントケース
７  リアケース
８、１１、１２  ねじ
９、１０  ねじ穴
【図１】
2007081624.tif 000003
【図２】
2007081624.tif 000004
【図３】
2007081624.tif 000005
【図４】
2007081624.tif 000006
【図５】
2007081624.tif 000007
【図６】
2007081624.tif 000008